(57)【特許請求の範囲】
【請求項１】
通知情報を発生する通知情報発生部と、
複数の表示部と、
前記複数の表示部の表示を制御する表示制御部と、
前記複数の表示部のうち、ユーザが注目している注目表示部を判定する注目画面判定部と、
前記複数の表示部に表示された画像の切替えを指示する画像切替え指示を発生する画像切替え部と、
前記画像切替え部により前記画像の切替え指示が発生してからの経過時間を測定する時間測定部と、
を有し、
前記注目画面判定部は、前記時間測定部により測定された経過時間に基づいて、前記注目表示部を判定し、
前記表示制御部は、前記注目画面判定部による判定結果に基づいて、前記通知情報を、前記複数の表示部のうち少なくとも一つの表示部に表示させることを特徴とする、表示装置。
【請求項２】
前記通知情報が緊急の通知情報であるか否かを判定する緊急度判定部を更に有し、
前記表示制御部は、前記注目画面判定部による判定結果と、前記緊急度判定部による判定結果とに基づいて、前記通知情報を、前記複数の表示部のうち少なくとも一つの表示部に表示させることを特徴とする、請求項１に記載の表示装置。
【請求項３】
前記表示制御部は、前記緊急度判定部により、緊急である通知情報であると判定された通知情報を、前記注目表示部に表示し、
前記緊急度判定部により、緊急の通知情報でないと判定された通知情報を、前記複数の表示画面のうち、前記注目表示部以外の表示部に表示することを特徴とする、請求項２に記載の表示装置。
【請求項４】
前記注目画面判定部は、前記複数の表示部におけるカーソルの移動量、または文字の入力の有無に基づいて、前記注目表示部を判定することを特徴とする、請求項１乃至３のいずれか一項に記載の表示装置。
【請求項５】
前記表示部の正面の画像を撮影する撮影部を更に有し、
前記注目画面判定部は、前記撮影部が撮影した画像に基づいて、前記注目表示部を判定することを特徴とする、請求項１乃至３のいずれか一項に記載の表示装置。
【請求項６】
通知情報を発生する工程と、
複数の表示部のうち、ユーザが注目している注目表示部を判定する注目画面判定工程と、
前記通知情報を、前記注目画面判定工程による判定結果に基づいて、前記複数の表示部のうち少なくとも一つの表示部に表示させる表示工程と、
前記複数の表示部に表示された画像の切替えを指示する画像切替え指示を発生する工程と、
前記画像切替え指示が発生してからの経過時間を測定する時間測定工程と、を有し、
前記注目画面判定工程は、前記時間測定工程により測定された時間に基づいて、前記注目表示部を判定することを特徴とする、表示方法。
【請求項７】
前記通知情報が緊急の通知情報であるか否かを判定する緊急度判定工程を更に有し、
前記表示工程は、前記注目画面判定工程による判定結果と、前記緊急度判定工程による判定結果とに基づいて、前記通知情報を、前記複数の表示部のうち少なくとも一つの表示部に表示させることを特徴とする、請求項６に記載の表示方法。
【請求項８】
前記表示工程は、前記緊急度判定工程により緊急である通知情報であると判定された通知情報を、前記注目表示部に表示し、
前記緊急度判定工程により、緊急度の通知情報でないと判定された通知情報を、前記複数の表示画面のうち、前記注目表示部以外の表示部に表示することを特徴とする、請求項６または７に記載の表示方法。
【請求項９】
通知情報を発生する工程と、
複数の表示部のうち、ユーザが注目している注目表示部を判定する注目画面判定工程と、
前記通知情報を、前記注目画面判定工程による判定結果に基づいて、前記複数の表示部のうち少なくとも一つの表示部に表示させる表示工程と、
前記複数の表示部に表示された画像の切替えを指示する画像切替え指示を発生する工程と、
前記画像切替え指示が発生してからの経過時間を測定する時間測定工程と、
をコンピュータに実行させ、
前記注目画面判定工程は、前記時間測定工程により測定された時間に基づいて、前記注目表示部を判定することを特徴とする、表示プログラム。
【請求項１０】
請求項９に記載の表示プログラムを記録した記録媒体。
【発明の詳細な説明】
【技術分野】
【０００１】
本発明は、ユーザに対して情報を表示する表示装置及び表示方法及び表示プログラムに関する。
【背景技術】
【０００２】
近年、複数の表示画面を有する表示装置、例えば携帯電話が開発されている。
【０００３】
複数の表示画面を有する携帯電話における、該複数の画面への表示方法に関する技術が、例えば特許文献１に記載されている。
【０００４】
特許文献１に記載の通信端末においては、例えば、複数の画面を使ってテレビ電話を行っている場合に、ユーザが他の操作を同時に実行する場合、該テレビ電話の画像のレイアウトを自動で変更する。これにより、例えば、２画面表示モードでテレビ電話を行っている状況下でユーザが他の操作を希望する場合、１画面表示モードへの変更が自動で行われる。そのため、ユーザは、通信端末が２画面表示モードでテレビ電話を行っている状態でも、該テレビ電話の画像を消すことなく、他の操作をすることが可能となる。
【先行技術文献】
【特許文献】
【０００５】
【特許文献１】特許第４２８９１５３号
【発明の概要】
【発明が解決しようとする課題】
【０００６】
しかしながら、特許文献１に記載の方法では、複数の画面に表示がされている状態において、ユーザがどの表示画面に注目しているかということを考慮していない。そのため、例えば、緊急性の低い通知情報が、ユーザが注目している表示画面に表示されてしまい、ユーザの作業が中断されてしまう可能性がある。
【０００７】
すなわち、特許文献１に記載の方法においては、ユーザに通知すべき情報が、ユーザにとって利便性の悪い態様で表示される可能性がある。
【０００８】
本発明は、このような問題に鑑み、ユーザに通知すべき情報を、ユーザにとって利便性の良い態様にて表示する表示装置を提供することを目的とする。
【課題を解決するための手段】
【０００９】
本発明の表示装置は、通知情報を発生する通知情報発生部と、複数の表示部と、前記複数の表示部の表示を制御する表示制御部と、前記複数の表示部のうち、ユーザが注目している注目表示部を判定する注目画面判定部と、前記複数の表示部に表示された画像の切替えを指示する画像切替え指示を発生する画像切替え部と、前記画像切替え部により前記画像の切替え指示が発生してからの経過時間を測定する時間測定部と、を有し、前記注目画面判定部は、前記時間測定部により測定された経過時間に基づいて、前記注目表示部を判定し、前記表示制御部は、前記注目画面判定部による判定結果に基づいて、前記通知情報を、前記複数の表示部のうち少なくとも一つの表示部に表示させる。
【００１０】
本発明の表示方法は、通知情報を発生する工程と、複数の表示部のうち、ユーザが注目している注目表示部を判定する注目画面判定工程と、前記通知情報を、前記注目画面判定工程による判定結果に基づいて、前記複数の表示部のうち少なくとも一つの表示部に表示させる表示工程と、前記複数の表示部に表示された画像の切替えを指示する画像切替え指示を発生する工程と、前記画像切替え指示が発生してからの経過時間を測定する時間測定工程と、を有し、前記注目画面判定工程は、前記時間測定工程により測定された時間に基づいて、前記注目表示部を判定する。
【００１１】
本発明の表示プログラムは、通知情報を発生する工程と、複数の表示部のうち、ユーザが注目している注目表示部を判定する注目画面判定工程と、前記通知情報を、前記注目画面判定工程による判定結果に基づいて、前記複数の表示部のうち少なくとも一つの表示部に表示させる表示工程と、前記複数の表示部に表示された画像の切替えを指示する画像切替え指示を発生する工程と、前記画像切替え指示が発生してからの経過時間を測定する時間測定工程と、をコンピュータに実行させ、前記注目画面判定工程は、前記時間測定工程により測定された時間に基づいて、前記注目表示部を判定する。
【発明の効果】
【００１２】
本発明の表示装置は、ユーザに通知すべき情報を、ユーザにとって利便性の良い態様にて表示することができる。
【図面の簡単な説明】
【００１３】
【図１】本発明の第１の実施形態における表示装置の構成の一例を示す。
【図２】本発明の第１の実施形態における表示装置の構成の他の例を示す。
【図３】本発明の第２の実施形態における表示装置の構成の一例を示す。
【図４】本発明の第３の実施形態における表示装置の構成の一例を示す。
【図５】本発明の第４の実施形態における表示装置の構成の一例を示す。
【発明を実施するための形態】
【００１４】
本発明の実施の形態について図面を参照しながら説明する。しかしながら、係る形態は本発明の技術的範囲を限定するものではない。
【００１５】
[第１の実施形態]
本発明の第１の実施形態における表示装置の構成について、図１を用いて説明する。
【００１６】
図１に記載の表示装置１０は、通知情報発生部１と、注目画面判定部２と、表示制御部３と、複数の表示部４１〜４ｎ(ｎ：２以上の整数)と、を有する。
【００１７】
通知情報発生部１は、表示装置１０のユーザに通知すべき情報、すなわち通知情報を発生する。
【００１８】
注目画面判定部２は、複数の表示部４１〜４ｎのうち、ユーザが注目している表示部（以下、注目表示部とする）がどの表示部であるかを判定する。
【００１９】
表示制御部３は、複数の表示部４１〜４ｎの表示を制御する。
【００２０】
表示部４１〜４ｎはそれぞれ、表示制御部３の指示に基づいて、通知情報等を表示する。
【００２１】
そして、表示制御部３は、注目画面判定部２による判定結果に基づいて、通知情報発生部１が生成した通知情報を、複数の表示部４１〜４ｎのうち少なくとも一つの表示部に表示させる。
【００２２】
次に、本実施形態における表示装置１０の動作について説明する。
【００２３】
初めに、通知情報発生部１は、表示装置１０のユーザに通知すべき情報を発生する。なお、ユーザに通知すべき情報とは、例えば、外部から着信があった時の着信情報や、表示装置１０内で発生するイベント、例えば、設定されたアラームの通知である。
【００２４】
通知情報が発生すると、注目画面判定部２は、複数の表示部４１〜４ｎの中から、ユーザが注目している注目表示部がどの表示部であるか判定する。注目表示部の判定においては、例えば、画面上でカーソルの移動あるいは文字の入力が発生している表示部を検出し、該表示部を注目表示部であると判定することとしても良い。
【００２５】
次に、表示制御部３は、注目画面判定部２による判定結果に基づいて、通知情報発生部１が生成した通知情報を表示部４１〜４ｎのうち少なくとも一つの表示部に表示させる。
【００２６】
例えば、表示制御部３は、通知情報発生部１が生成した通知情報を、注目画面判定部２が判定した注目表示部以外の表示部に表示させることとしても良い。これにより、ユーザが注目している表示部には通知情報が表示されないこととなるため、ユーザの操作を妨げることなく、通知情報を表示することが可能となる。
【００２７】
あるいは、表示制御部３は、通知情報発生部１が生成した通知情報を、注目画面判定部２が判定した注目表示部に表示させることとしても良い。これにより、ユーザが注目している表示部に通知情報が表示されることとなるため、ユーザは、即座に通知情報の内容を知り、対応することができる。
【００２８】
また、このように、通知情報を注目表示部に表示するか、あるいは注目表示部以外の表示部に表示するかについては、ユーザが事前に設定できるものとしても良い。あるいは、後述する第２の実施形態のように、通知情報の種類によって区別することとしてもよい。
【００２９】
以上により、本実施形態においては、ユーザが注目している表示部がどの表示部であるかを判定した上で、通知情報を表示している。
【００３０】
そのため、ユーザに通知すべき情報を、ユーザにとって利便性の良い態様にて表示することができる。
【００３１】
なお、通知情報が、複数の表示部に表示されることとしても良い。例えば、注目画面判定部２によって、注目表示部が複数あると判定された場合には、表示制御部３は、該複数の注目表示部のいずれにも通知情報を表示させることとしても良い。
【００３２】
また、ユーザが表示装置を使用せずに放置している場合においては、ユーザはいずれの表示部にも注目していないため、注目画面表示部２が注目表示部を判定できないと考えられる。すなわち、例えば、注目画面判定部２がカーソルの移動に基づいて注目表示部を判定しているとすると、カーソルの移動が発生しない場合においては、注目画面判定部２は、注目表示部を判定することができない。このような場合には、表示制御部３は、表示部４１〜４ｎのうち任意の表示部に、通知情報を表示させることとしても良い。
【００３３】
なお、本実施形態における表示装置１０は、図２に示すように、制御部５がバス６を介して、表示装置１０の各構成部位を制御する構成としても良い。このように、制御部が表示装置の各構成部位の制御を行う構成としても良いことは、後述する全ての実施形態においても同様である。
【００３４】
[第２の実施形態]
次に本発明の第２の実施形態における表示装置について述べる。
【００３５】
本実施形態における表示装置２０の構成について、図３を用いて説明する。
【００３６】
図３に記載の表示装置２０は、第１の実施形態における表示装置１０の構成に加えて、緊急度判定部５を有する。
【００３７】
緊急度判定部５は、通知情報発生部１が生成した通知情報が緊急の通知情報であるか否かを判定し、該判定結果を、表示制御部３に通知する。
【００３８】
次に、本実施形態における表示装置２０の動作について説明する。
【００３９】
初めに、第１の実施形態と同様、通知情報発生部１が通知情報を生成する。
【００４０】
そして、注目画面判定部２は、第１の実施形態と同様に、ユーザが注目している注目表示部がどの表示部であるかを判定する。
【００４１】
一方、緊急度判定部５は、通知情報発生部１が生成した通知情報が緊急の通知情報であるか否かを判定する。緊急の通知情報とは、ユーザの操作を妨げてでもユーザに通知すべき情報であり、例えば、会社からの着信通知などである。一方、緊急でない通知情報とは、ユーザの操作を妨げることなく通知すべき情報であり、例えば、購読しているメールマガジンのメール受信などである。
【００４２】
ここで、緊急度判定部５が、どの種類の通知情報を緊急の通知情報と判定するかについては、ユーザにより、予め登録できるものとしても良い。そして、ユーザにより登録された内容を、図示しない記録部に記録することとしても良い。例えば、ユーザによる登録に基づいて、記録部は、着信通知の中でも、会社と家族からの着信通知は緊急の通知情報として記録し、それ以外の着信通知は、緊急でない通知情報として記録することとしても良い。そして、緊急度判定部５は、記録部に記録された内容を参照することによって、発生した通知情報が緊急の通知情報であるか否かを判定することとしても良い。
【００４３】
あるいは、緊急度判定部５は、通知情報そのものの緊急性だけでなく、通知情報が発生した時のユーザ操作の種類にも基づいて、緊急の通知情報であるか否かを判定することとしても良い。例えば、ユーザが表示装置２０でゲームをしている際、すなわち、表示装置２０のゲーム機能が起動している最中に発生した着信通知は、会社や家族以外からの着信通知であっても緊急の通知情報として判定することとしても良い。一方、メールを作成している時に発生した着信通知は、会社や家族からの着信通知のみを緊急の通知情報として判定することとしても良い。
【００４４】
次に、緊急度判定部５が、通知情報発生部１が生成した通知情報が緊急の通知情報であると判定した場合について説明する。
【００４５】
緊急度判定部５が、通知情報発生部１が生成した通知情報が緊急の通知情報であると判定した場合、表示制御部３は、注目画面判定部２によって判定された注目表示部に、通知情報を表示する。これにより、ユーザは、緊急度の高い通知情報を即座に確認し、対応することができる。
【００４６】
一方、緊急度判定部５が、通知情報発生部１が生成した通知情報が緊急の通知情報ではないと判定した場合、表示制御部３は、注目表示部以外の表示部に、通知情報を表示する。これにより、ユーザは、自身の操作を妨げられることなく、緊急度の低い通知情報を任意のタイミングで確認することができる。
【００４７】
以上のように、本実施形態においては、ユーザが注目している表示部がどの表示部であるかという情報と、通知情報が緊急であるか否かという情報とに基づいて、通知情報を表示する。そのため、ユーザにとって利便性の高い態様にて通知情報を表示することが可能となる。
【００４８】
具体的には、緊急の通知情報は、ユーザが即座に気づくことができる態様で表示することが可能となる。一方、緊急でない通知情報は、ユーザ操作を妨げることのない態様で表示することが可能となる。
【００４９】
[第３の実施形態]
次に本発明の第３の実施形態における表示装置について述べる。
【００５０】
本実施形態における表示装置３０の構成について、図４を用いて説明する。
【００５１】
図４に記載の表示装置３０は、第２の実施形態における表示装置２０の構成に加えて、画像切替え部６と、時間測定部７と、を有する。
【００５２】
画像切替え部６は、表示部に表示されている画像を他の画像に切替えるための指示（以下、画像切替え指示とする）を発生する。例えば、ユーザが表示装置３０を用いて電子ブックを読んでいる場合には、該電子ブックのページを切替えるために、画像切替え指示を発生する。なお、画像切替え部６は、例えば、ユーザによるボタン操作によって、画像切替え指示を発生することとしても良い。あるいは、所定の時間が経過すると、自動的に画像切替え指示を発生することとしても良い。
【００５３】
時間測定部７は、画像切替え部６から画像切替え指示が発生してからの経過時間を測定する。そして、再び画像切替えの指示が発生すると、これまで測定した時間をリセットして、新たに経過時間の測定を開始する。
【００５４】
次に、本実施形態における表示装置３０の動作について説明する。
【００５５】
まず、本実施形態においては、表示装置３０において、画像の切替えを必要とする機能が起動している最中に、通知情報発生部１により通知情報が生成されることとする。画像の切替えが必要な機能とは、例えば、電子ブックの機能である。そのため、ユーザのボタン操作や所定の時間の経過に基づいて、画像切替え部６から画像の切替え指示が発生する。
【００５６】
通知情報発生部１により通知情報が生成されると、時間測定部７は、その時点での経過時間の測定結果を、注目画面判定部２に通知する。例えば、最後の画像切替え指示の発生から１分が経過した時に、通知情報が発生した場合、時間測定部７は、画像を切替えてから１分が経過していることを、注目画面判定部２に通知する。
【００５７】
そして、注目画面判定部２は、時間測定部７から通知された経過時間に基づいて、ユーザがどの表示部に注目しているかを判定する。
【００５８】
注目画面判定部２による注目表示部の判定方法について説明する。注目画面判定部２は、画像を切替えてからの経過時間と、基準となる経過時間とを比較することにより、注目表示部を判定する。すなわち、通知された経過時間が、基準となる経過時間未満であれば、注目画面判定部２は例えば、ユーザから見て最も右側の表示部が注目表示部であると判定する。そして、通知された経過時間が、基準となる経過時間以上であれば、注目画面判定部２は例えば、ユーザから見て右側から２番目の表示部が注目表示部であると判定する。具体的には、基準となる経過時間を１．５分である場合において、通知された経過時間が１分であるとする。この場合、注目画面判定部２は、ユーザからみて最も右側の表示部が注目表示部であると判定する。一方、通知された経過時間が２分であるとすると、注目画面判定部２は、ユーザから見て右側から２番目の表示部が注目表示部であると判定する。なお、基準となる経過時間は、表示部の画面の大きさや文字の大きさ等に応じて、適宜設定及び変更可能なものとしても良い。
【００５９】
このように、注目画面判定部２は、時間測定部７から通知された経過時間に基づいて、注目表示部を判定する。
【００６０】
そして、表示制御部３は、注目画面判定部２と、緊急度判定部５との判定結果に基づいて、表示部４１〜４ｎのいずれかの表示部に、通知情報を表示させる。
【００６１】
なお、緊急度判定部５による判定の仕方については、第２の実施形態と同様であるため、説明は省略する。
【００６２】
以上のように、本実施形態においては、画像の切替え指示が発生してからの経過時間に基づいて、ユーザがどの表示部に注目しているかを判定する。そのため、例えば、ユーザが、いずれの表示部においてもカーソルの移動や文字の入力を行わずに、電子ブックを読んでいる場合であっても、ユーザがどの表示部に注目しているのかを判定することができる。その結果、このような場合においても、ユーザにとって利便性の高い態様にて通知情報を表示することが可能となる。
【００６３】
なお、ユーザが、メールの作成や、ゲームのように、画像の切替えが発生しない作業を行っている場合もある。この場合、画像切替え部６から画像の切替え指示は発生しない。そのため、時間測定部７も経過時間を測定していない。
【００６４】
このような場合には、注目画面判定部２は、第１の実施形態や第２の実施形態と同様に、画面上でカーソルが移動している表示部を、注目表示部であると判定することとしても良い。
【００６５】
また、ユーザが、画像の切替えを必要とする作業をした後、画像の切替えを必要としない作業をする場合もある。例えば、電子ブックを読んだ後、メールの作成に移る場合などである。このような場合には、時間測定部７は、画像の切替えを必要とする機能、例えば、電子ブックの機能が中止されたことを検出し、時間の測定を中止することとしても良い。あるいは、画像切替えの指示が発生してから所定の時間、例えば１０分が経過すると、ユーザはもはや画像の切替えが必要な作業を行っていないと判断し、時間の測定を中止することとしても良い。
【００６６】
[第４の実施形態]
次に本発明の第４の実施形態における表示装置について述べる。
【００６７】
本実施形態における表示装置４０の構成について、図５を用いて説明する。
【００６８】
図５に記載の表示装置４０は、第２の実施形態における表示装置２０の構成に加えて、撮影部８と、視線分析部９と、を有する。
【００６９】
撮影部８は、表示装置４０のうち、表示部が配置されている側の正面の画像を撮影し、撮影した画像を視線分析部９に転送する。
【００７０】
視線分析部９は、撮影部８が撮影した画像から、ユーザの視線の方向を分析し、該分析結果を注目画面判定部２に送信する。
【００７１】
次に、本実施形態における表示装置４０の動作について説明する。
【００７２】
初めに、通知情報発生部１が、通知情報を生成する。
【００７３】
通知情報発生部１が通知情報を生成すると、撮影部８は、表示装置４０のうち、表示部が配置されている側の正面の画像を撮影する。そのため、撮影部８は、表示部を見ながら表示装置４０を操作しているユーザを撮影することとなる。そして、撮影部８は、撮影した画像を、視線分析部９に転送する。なお、複数の表示部４１〜４ｎが、それぞれ異なる方向を向くように配置されている場合には、撮影部８は、複数の方向の画像を撮影することとしても良い。
【００７４】
視線分析部９は、撮影部８から転送された画像から、ユーザの視線の方向を分析する。具体的には、例えば、視線分析部９は初めに、転送された画像から顔の画像を抽出する。そして、抽出した顔画像の中から、顔の向き、目の輪郭、瞳の位置等を分析することによって、ユーザの視線の方向を判定する。撮影画像から顔画像を抽出する方法や、顔画像から、視線の方向を分析する方法については、例えば、特開２００７−０１３８００号公報や特開２００９−２６６０８６号公報に記載されている。
【００７５】
注目画面判定部２は、転送された撮影画像から、ユーザの視線がどの表示部の方向に向いているのかを分析する。そして、ユーザの視線の方向にある表示部を、注目表示部と判定する。
【００７６】
そして、表示制御部３は、第２の実施形態と同様に、注目画面判定部２と、緊急度判定部５とによる判定に基づいて、通知情報を表示部に表示する。
【００７７】
以上のように、本実施形態においては、ユーザの顔を撮影して、視線の方向を分析することにより、ユーザがどの表示部に注目しているのかを判定する。そのため、ユーザが、カーソルの移動や文字の入力を行うことなく特定の表示部に注目している場合でも、ユーザにとって利便性の高い態様で通知情報を表示することが可能となる。すなわち、例えば、ユーザが、電子ブックを読んでいる最中であっても、ユーザにとって利便性の高い態様で通知情報を表示することが可能となる。
【００７８】
なお、本実施形態における表示装置４０は、第１の実施形態における表示装置１０に撮影部８及び視線分析部９を加える構成としたが、これに限らない。すなわち、第２の実施形態における表示装置３０に、本実施形態の撮影部８及び視線分析部９を加えることとしても良い。この場合、表示画面判定部２は、例えば、画像切替え部６と時間測定部７によって注目表示部が判定できなかった場合にのみ、撮影部８による撮影を行うこととしても良い。
【００７９】
（付記１）通知情報を発生する通知情報発生部と、複数の表示部と、前記複数の表示部の表示を制御する表示制御部と、前記複数の表示部のうち、ユーザが注目している注目表示部を判定する注目画面判定部と、を有し、前記表示制御部は、前記注目画面判定部による判定結果に基づいて、前記通知情報を、前記複数の表示部のうち少なくとも一つの表示部に表示させることを特徴とする、表示装置。
【００８０】
（付記２）前記通知情報が緊急の通知情報であるか否かを判定する緊急度判定部を更に有し、前記表示制御部は、前記注目画面判定部による判定結果と、前記緊急度判定部による判定結果とに基づいて、前記通知情報を、前記複数の表示部のうち少なくとも一つの表示部に表示させることを特徴とする、付記１に記載の表示装置。
【００８１】
（付記３）前記表示制御部は、前記緊急度判定部により、緊急でない通知情報であると判定された通知情報を、前記注目表示部に表示し、前記緊急度判定部により、緊急の通知情報であると判定された通知情報を、前記複数の表示画面のうち、前記注目表示部以外の表示部に表示することを特徴とする、付記２に記載の表示装置。
【００８２】
（付記４）前記注目画面判定部は、前記複数の表示部におけるカーソルの移動量、または文字の入力の有無に基づいて、前記注目表示部を判定することを特徴とする、付記１乃至３のいずれか一つに記載の表示装置。
【００８３】
（付記５）前記複数の表示部に表示された画像の切替えを指示する画像切替え指示を発生する画像切替え部と、前記画像切替え部により前記画像の切替え指示が発生してからの経過時間を測定する時間測定部と、を更に有し、前記注目画面判定部は、前記時間測定部により測定された経過時間に基づいて、前記注目表示部を判定することを特徴とする、付記１乃至３のいずれか一つに記載の表示装置。
【００８４】
（付記６）前記表示部の正面の画像を撮影する撮影部を更に有し、前記注目画面判定部は、前記撮影部が撮影した画像に基づいて、前記注目表示部を判定することを特徴とする、付記１乃至３のいずれか一つに記載の表示装置。
【００８５】
（付記７）通知情報を発生する工程と、複数の表示部のうち、ユーザが注目している注目表示部を判定する注目画面判定工程と、前記通知情報を、前記注目画面判定工程による判定結果に基づいて、前記複数の表示部のうち少なくとも一つの表示部に表示させる表示工程と、を有することを特徴とする、表示方法。
【００８６】
（付記８）前記通知情報が緊急の通知情報であるか否かを判定する緊急度判定工程を更に有し、前記表示工程は、前記注目画面判定工程による判定結果と、前記緊急度判定工程による判定結果とに基づいて、前記通知情報を、前記複数の表示部のうち少なくとも一つの表示部に表示させることを特徴とする、付記７に記載の表示方法。
【００８７】
（付記９）前記表示工程は、前記緊急度判定工程により緊急でない通知情報であると判定された通知情報を、前記注目表示部に表示し、前記緊急度判定工程により、緊急度の通知情報であると判定された通知情報を、前記複数の表示画面のうち、前記注目表示部以外の表示部に表示することを特徴とする、付記８に記載の表示方法。
【００８８】
（付記１０）前記注目画面判定工程は、前記複数の表示部におけるカーソルの移動量、または文字の入力の有無に基づいて、前記注目表示部を判定することを特徴とする、付記７乃至９のいずれか一つに記載の表示方法。
【００８９】
（付記１１）前記複数の表示部に表示された画像の切替えを指示する画像切替え指示を発生する工程と、前記画像切替え指示が発生してからの経過時間を測定する時間測定工程と、を更に有し、前記注目画面判定工程は、前記時間測定工程により測定された時間に基づいて、前記注目表示部を判定することを特徴とする、付記７乃至９のいずれか一つに記載の表示方法。
【００９０】
（付記１２）前記表示部の正面の画像を撮影する撮影工程を更に有し、前記注目画面判定部は、前記撮影工程により撮影された画像に基づいて、前記注目表示部を判定することを特徴とする、付記７乃至９のいずれか一つに記載の表示方法。
【００９１】
（付記１３）通知情報を発生する工程と、複数の表示部のうち、ユーザが注目している注目表示部を判定する注目画面判定工程と、前記通知情報を、前記注目画面判定工程による判定結果に基づいて、前記複数の表示部のうち少なくとも一つの表示部に表示させる表示工程と、をコンピュータに実行させることを特徴とする、表示プログラム。
【００９２】
（付記１４）前記通知情報が緊急の通知情報であるか否かを判定する緊急度判定工程を更にコンピュータに実行させ、前記表示工程は、前記注目画面判定工程による判定結果と、前記緊急度判定工程による判定結果とに基づいて、前記通知情報を、前記複数の表示部のうち少なくとも一つの表示部に表示させることを特徴とする、付記１３に記載の表示プログラム。
【００９３】
（付記１５）前記表示工程は、前記緊急度判定工程により緊急でない通知情報であると判定された通知情報を、前記注目表示部に表示し、前記緊急度判定工程により、緊急度の通知情報であると判定された通知情報を、前記複数の表示画面のうち、前記注目表示部以外の表示部に表示することを特徴とする、付記１４に記載の表示プログラム。
【００９４】
（付記１６）前記注目画面判定工程は、前記複数の表示部におけるカーソルの移動量、または文字の入力の有無に基づいて、前記注目表示部を判定することを特徴とする、付記１３乃至１５のいずれか一つに記載の表示プログラム。
【００９５】
（付記１７）前記複数の表示部に表示された画像の切替えを指示する画像切替え指示を発生する工程と、前記画像切替え指示が発生してからの経過時間を測定する時間測定工程と、を更にコンピュータに実行させ、前記注目画面判定工程は、前記時間測定工程により測定された時間に基づいて、前記注目表示部を判定することを特徴とする、付記１３乃至１５のいずれか一つに記載の表示プログラム。
【００９６】
（付記１８）前記表示部の正面の画像を撮影する撮影工程を更にコンピュータに実行させ、前記注目画面判定部は、前記撮影工程により撮影された画像に基づいて、前記注目表示部を判定することを特徴とする、付記１３乃至１５のいずれか一つに記載の表示プログラム。
【００９７】
（付記１９）付記１３乃至１８のいずれか一つに記載の表示プログラムを記録した記録媒体。
【符号の説明】
【００９８】
１  通知情報発生部
２  注目画面判定部
３  表示制御部
４１〜４ｎ  表示部
５  制御部
６  バス
１０、２０、３０、４０  表示装置
５  緊急度判定部
６  画像切替え部
７  時間測定部
８  撮影部
９  視線分析部
【図１】
0005533044.tif 000002
【図２】
0005533044.tif 000003
【図３】
0005533044.tif 000004
【図４】
0005533044.tif 000005
【図５】
0005533044.tif 000006